【手続補正書】
【提出日】平成29年9月5日(2017.9.5)
【手続補正１】
【補正対象書類名】明細書
【補正対象項目名】発明の名称
【補正方法】変更
【補正の内容】
【発明の名称】制御装置、制御方法
【手続補正２】
【補正対象書類名】明細書
【補正対象項目名】００１０
【補正方法】変更
【補正の内容】
【００１０】
本発明の一様態は、複数の投射装置の少なくとも１つの設定を制御する制御装置であって、
前記複数の投射装置の投射画像に対応する画像データを取得する取得手段と、
前記取得手段により取得された画像データに応じた画像を表示画面に表示させる表示制御手段と、
前記表示制御手段により前記画像が表示される表示領域内の操作位置に応じて、制御対象とする投射装置を決定する決定手段と、
前記決定手段により決定された投射装置を制御するための信号を出力する出力手段と
を有する。
【手続補正３】
【補正対象書類名】明細書
【補正対象項目名】００８６
【補正方法】変更
【補正の内容】
【００８６】
ＣＰＵ１５０１、ＲＡＭ１５０２、ＲＯＭ１５０３、撮像部１０１、タッチパネル画面１５０４、送信部１０６、は何れも、共通のバス１５０５に接続されている。なお、端末装置に適用可能なハードウェア構成は、図１５に示した構成に限るものではなく、様々な構成が考え得る。
【手続補正４】
【補正対象書類名】特許請求の範囲
【補正対象項目名】全文
【補正方法】変更
【補正の内容】
【特許請求の範囲】
【請求項１】
複数の投射装置の少なくとも１つの設定を制御する制御装置であって、
前記複数の投射装置の投射画像に対応する画像データを取得する取得手段と、
前記取得手段により取得された画像データに応じた画像を表示画面に表示させる表示制御手段と、
前記表示制御手段により前記画像が表示される表示領域内の操作位置に応じて、制御対象とする投射装置を決定する決定手段と、
前記決定手段により決定された投射装置を制御するための信号を出力する出力手段と
を有する制御装置。
【請求項２】
前記複数の投射装置は、１画像を分割して得られる複数の分割画像を前記複数の投射装置に投射させることによりマルチスクリーン表示を行う請求項１に記載の制御装置。
【請求項３】
前記取得手段は、前記複数の投射装置の画像投射面の少なくとも一部を撮影して得られる撮影画像を前記画像データとして取得する請求項１又は２に記載の制御装置。
【請求項４】
前記取得手段は、前記複数の投射装置のそれぞれの投射画像の位置関係に関する画面構成情報を取得し、
前記決定手段は、前記表示制御手段により前記画像が表示される表示領域内の操作位置と、前記画面構成情報と、に基づいて、前記制御対象とする投射装置を決定する請求項１乃至３のうち、何れか１項に記載の制御装置。
【請求項５】
前記取得手段は、前記複数の投射装置のそれぞれの投射範囲に関する画面構成情報を取得し、
前記決定手段は、前記表示制御手段により前記画像が表示される表示領域内の操作位置と、前記画面構成情報と、に基づいて、前記制御対象とする投射装置を決定する請求項１乃至３のうち、何れか１項に記載の制御装置。
【請求項６】
前記取得手段は、前記複数の投射装置の画像投射面の少なくとも一部を撮影して得られる撮影画像を取得すると共に、前記複数の投射装置に入力される入力画像に応じた画像を取得し、
前記表示制御手段は、前記撮影画像に応じた画像を前記表示画面に表示させ、
前記決定手段は、前記表示制御手段により前記画像が表示される表示領域内の操作位置と、前記入力画像に応じた画像と、に基づいて、前記制御対象とする投射装置を決定する請求項１又は２に記載の制御装置。
【請求項７】
前記決定手段は、前記表示制御手段により表示される前記画像のうち、前記操作位置から所定範囲の画像に類似する画像を、前記入力画像に応じた画像から特定し、該特定の結果に従って、前記制御対象とする投射装置を決定する請求項６に記載の制御装置。
【請求項８】
前記取得手段は、前記複数の投射装置に入力される入力画像に応じた画像と、該画像に対応する投射装置の識別情報と、を取得し、
前記表示制御手段は、前記入力画像に応じた画像を前記表示画面に表示させ、
前記決定手段は、前記表示制御手段により前記画像が表示される表示領域内の操作位置に対応する投射装置の識別情報に基づいて、前記制御対象とする投射装置を決定する請求項１又は２に記載の制御装置。
【請求項９】
前記入力画像に応じた画像は、前記入力画像に対して低解像度化処理、及び／又は、フレームレート低減処理することで得られる画像である請求項６乃至８のうち、何れか１項に記載の制御装置。
【請求項１０】
複数の投射装置の少なくとも１つの設定を制御する制御装置であって、
前記複数の投射装置の投射画像の位置関係に関する構成情報を取得する取得手段と、
前記取得手段により取得された構成情報に応じた画像を表示画面に表示させる表示制御手段と、
前記表示制御手段により前記画像が表示される表示領域内の操作位置に応じて、制御対象とする投射装置を決定する決定手段と、
前記決定手段により決定された投射装置を制御するための信号を出力する出力手段と
を有する制御装置。
【請求項１１】
前記表示制御手段は、前記複数の投射装置のそれぞれの投射領域を示す枠線を前記構成情報に基づいて前記表示画面に表示させる請求項１０に記載の制御装置。
【請求項１２】
前記表示制御手段により前記画像が表示される表示領域内の異なる位置において所定時間内に２以上の操作が行われた場合、前記決定手段は、前記２以上の操作の操作位置に応じて２以上の投射装置を制御対象として決定する請求項１乃至１１のうち、何れか１項に記載の制御装置。
【請求項１３】
前記操作位置が２以上の投射装置による重複投射領域に対応する場合、前記決定手段は、前記２以上の投射装置を制御対象として決定する請求項１乃至１２のうち、何れか１項に記載の制御装置。
【請求項１４】
前記表示画面はタッチパネルであり、前記操作位置は、前記タッチパネルに対するタッチ操作が行われた位置である請求項１乃至１３のうち、何れか１項に記載の制御装置。
【請求項１５】
前記制御装置により制御される設定には、色調整のためのパラメータ、輝度調整のためのパラメータ、及び、台形補正のためのパラメータのうち、少なくとも何れかが含まれる請求項１乃至１４のうち、何れか１項に記載の制御装置。
【請求項１６】
複数の投射装置の少なくとも１つの設定を制御する制御方法であって、
前記複数の投射装置の投射画像に対応する画像データを取得し、
前記取得された画像データに応じた画像を表示画面に表示させ、
前記画像が表示される表示領域内の操作位置に応じて、制御対象とする投射装置を決定し、
前記決定された投射装置を制御するための信号を出力する制御方法。
【請求項１７】
前記複数の投射装置の画像投射面の少なくとも一部を撮影して得られる撮影画像が前記画像データとして取得される請求項１６に記載の制御方法。
【請求項１８】
前記複数の投射装置に入力される入力画像に応じた画像をさらに取得し、
前記表示画面には前記撮影画像に応じた画像が表示され、
前記画像が表示される表示領域内の操作位置と、前記入力画像に応じた画像と、に基づいて、前記制御対象とする投射装置が決定される請求項１７に記載の制御方法。
【請求項１９】
前記複数の投射装置に入力される入力画像に応じた画像と、該画像に対応する投射装置の識別情報と、を取得し、
前記表示画面には前記入力画像に応じた画像が表示され、
前記表示画面における前記画像の表示領域内の操作位置に対応する投射装置の識別情報に基づいて、前記制御対象とする投射装置が決定される請求項１６に記載の制御方法。
【請求項２０】
複数の投射装置の少なくとも１つの設定を制御する制御方法であって、
前記複数の投射装置の投射画像の位置関係に関する構成情報を取得し、
前記取得された構成情報に応じた画像を表示画面に表示させ、
前記画像が表示される表示領域内の操作位置に応じて、制御対象とする投射装置を決定し、
前記決定された投射装置を制御するための信号を出力する制御方法。
【請求項２１】
コンピュータを請求項１乃至１５のうち、何れか１項に記載の制御装置の各手段として動作させるためのプログラム。
【手続補正５】
【補正対象書類名】図面
【補正対象項目名】図８
【補正方法】変更
【補正の内容】
【図８】
2016057915.tif 000001
【手続補正６】
【補正対象書類名】図面
【補正対象項目名】図１３
【補正方法】変更
【補正の内容】
【図１３】
2016057915.tif 000002